(57)【特許請求の範囲】
【請求項１】
ボールを回転自在に設けたボールペンチップを先端に装着したチップホルダーの後端部を、内部に剪断減粘性を有するインキと該インキの後部にインキの消費と共に追従するグリース状のフォロアを直詰めした軸筒の先端部に圧入してなるボールペンにおいて、チップホルダーの後端部を圧入した軸筒の先端部分の外周面を金属管で被覆したことを特徴とするボールペン。
【請求項２】
前記チップホルダーの後端部を圧入する軸筒の先端部分の外周面を、外径を小径とした小径部となし、該小径部を金属管で被覆したことを特徴とする請求項１に記載のボールペン。
【請求項３】
前記金属管の先端部に、内方に突出した鍔部を設け、チップホルダーに、軸筒の先端部に圧入する後端部を小径として段部を形成し、鍔部を段部と軸筒の先端面とで挟持して金属管で被覆したことを特徴とする請求項１又は２に記載のボールペン。
【発明の詳細な説明】
【０００１】
【発明の属する技術分野】
本発明は、軸筒内に、剪断減粘性を有するインキと該インキの後部にインキの消費と共に追従するグリース状のフォロアを直詰めしてなるボールペンに関する。
【０００２】
【従来の技術】
従来より、軸筒内にインキを直接収納した直詰めタイプのボールペンとして、水性インキボールペンは良く知られている。最近では、軸筒内に、剪断減粘性を有するインキと該インキの後部にインキの消費と共に追従するグリース状のフォロアを直詰めしてなるボールペンも商品として提供されている。
【０００３】
【発明が解決しようとする課題】
剪断減粘性を有するインキとグリース状のフォロアを軸筒内に直詰めしてなるボールペンの構造は、ほとんどのものが合成樹脂からなるチップホルダーの先端にボールを回転自在に設けたボールペンチップを装着し、そのチップホルダーの後端部をインキを直詰めした軸筒の先端部に圧入してなるものである。チップホルダーの後端部を圧入した軸筒の先端部分は、常に内部応力が生じた状態になっている。また、筆記時におけるボールペンチップに加わる応力により、チップホルダーに内部から外部方向への応力が加わり、さらに軸筒の先端部にも内部から外部方向への応力が伝わる。こうした応力のために、経時により軸筒先端部分のチップホルダーの圧入力が低下してしまうという問題があった。チップホルダーの圧入力が低下すると、チップホルダーが容易に抜け落ちしてしまったり、圧入部からインキ漏れが発生し易い等の問題が生じる。
【０００４】
本発明はこうした問題に鑑み、軸筒やチップホルダーを特定の材質で形成するのではなく、従来から用いている材質で軸筒を形成可能で、チップホルダーの圧入部が、経時的に圧入力が低下することなく、容易に抜け落ちたり、圧入部からのインキ漏れの発生し難い軸筒内に剪断減粘性を有するインキを直詰めしたボールペンを得ることにある。
【０００５】
【課題を解決するための手段】
本発明は、ボールを回転自在に設けたボールペンチップを先端に装着したチップホルダーの後端部を、内部に剪断減粘性を有するインキと該インキの後部にインキの消費と共に追従するグリース状のフォロアを直詰めした軸筒の先端部に圧入してなるボールペンにおいて、チップホルダーの後端部を圧入した軸筒の先端部分の外周面を金属管で被覆したことを特徴とするボールペンである。
【０００６】
さらに、前記チップホルダーの後端部を圧入した軸筒の先端部分の外周面を、外径を小径とした小径部となし、該小径部を金属管で被覆したことを特徴とするものである。
【０００７】
またさらには、前記金属管の先端部に、内方に突出した鍔部を設け、チップホルダーに軸筒の先端部に圧入する後端部を小径として段部を形成し、鍔部を段部と軸筒の先端面とで挟持して金属管で被覆したことを特徴とするものである。
【０００８】
【発明の実施の形態】
本発明の実施の形態を図面を用いて説明する。同じ部材、同じ箇所を示すものは同じ符号を付す。本発明の実施の形態では、キャップについての説明を省略しているが、本発明がキャップを有さない構造のボールペンに特定するものではない。本発明におけるキャップ構造は極一般的な構造で特筆するものでないので、説明を省略したものである。
第１の実施の形態を示すボールペン１は、チップホルダー２をポリアセタール、ポリプロピレン、ポリカーボネート等の樹脂で、軸筒３をポリプロピレン、ポリカーボネート、アクリルニトリルスチレン等の樹脂で透明に形成する。チップホルダー２には嵌着孔４を設けてあり、該嵌着孔４には先端にボール５を回転自在に設けたボールペンチップ６を挿着してある。嵌着孔４には後端に開口したインキ通路７が連通している。チップホルダー２の後端側の圧入部８は小径としてあり、軸筒３の先すぼみ状とした先端部３ａに圧入可能としてある。
【０００９】
軸筒３の先端部３ａにチップホルダー２の圧入部８を圧入した際に対向する軸筒３の先端部３ａの外周面は、外径を小径とした小径部９に形成してあり、該小径部９を、先端を先すぼみ状とした金属パイプ１０で被覆する。軸筒３の把持部１１は小径に形成してあり、そこにラバー状の弾性グリップ１２を２色成形により装着してある。
【００１０】
軸筒３の先端部３ａの外周面に金属パイプ１０を被覆することにより、チップホルダーに加わる内部から外部方向への応力を抑制することができるので、経時による圧入部８の変化が少なく、軸筒３とチップホルダー２の圧入部８の圧入力が低下し難い。また、金属パイプ１０を圧入により被覆することにより、軸筒およびチップホルダーに外部から内部方向へ応力が加わるので、より軸筒３とチップホルダー２の圧入部８の圧入力を向上することができる。
【００１１】
軸筒３の先端部３ａ側の開口部から軸筒３の内部に、剪断減粘性を有するインキ１３と該インキ１３の後端に当接しインキ１３の消費と共に追従するグリース状のフォロア１４を、該フォロア１４から順に直詰めする。インキ１３の充填後に、前記したチップホルダー２の後端側の圧入部８を、軸筒３の先端部３ａに圧入し、軸筒３の先端面３ｃをチップホルダー２の小径の圧入部８により形成される段部１５に当接する。次に、軸筒３の後端開口部３ｂに、軸筒３の内部と外部を連通する小径な空気孔１６を有した尾栓１７を挿着して、本実施の形態のボールペン１を得る。
【００１２】
図４〜図６に示す、第２の実施の形態のボールペン２１は、先端にボールペンチップを挿着したチップホルダー及び軸筒を第１の実施の形態のボールペン１と同様に形成してある。軸筒３の先端部３ａの外周面の小径部９を、先端を先すぼみ状とした金属パイプ２２により被覆する。金属パイプ２２の先端部には内方に突出した、チップホルダー２の段部１５と軸筒３の先端面３ｃとに当接可能に形成した鍔部２３を設けてあり、該鍔部２３を段部１５と軸筒３の先端面３ｃとで挟持してある。
【００１３】
第１の実施の形態のボールペン１と同様にして、軸筒３の内部に剪断減粘性を有するインキ１３とグリース状のフォロア１４を直詰めし、インキ１３の充填後に、前記したチップホルダー２の後端側の圧入部８を軸筒３の先端部３ａに圧入し、軸筒３の先端面３ｃとチップホルダー２の小径の圧入部８により形成される段部１５とで金属パイプ２２の鍔部２３を挟持する。後は、第１の実施の形態のボールペン１と同様に、軸筒３の後端開口部３ｂに尾栓１７を挿着して、本実施の形態のボールペン２１を得る。
【００１４】
【発明の効果】
本発明の剪断減粘性を有するインキとグリース状のフォロアを直に収容したボールペンは前述したような構造なので、軸筒やチップホルダーを特定の材質で形成するのではなく、従来から用いている材質で軸筒を形成可能で、チップホルダーの圧入部が、経時的に圧入力が低下することなく、容易に抜け落ちたり、圧入部からのインキ漏れの発生し難い軸筒内に剪断減粘性を有するインキを直詰めしたボールペンを得ることができた。
【図面の簡単な説明】
【図１】本発明のボールペンの第１の実施の形態を示す、ボールペンの縦断面図である。
【図２】図１における要部の拡大断面図である。
【図３】第１の実施の形態における、金属パイプの拡大断面図である。
【図４】本発明のボールペンの第２の実施の形態を示す、ボールペンの縦断面図である。
【図５】図４における要部の拡大断面図である。
【図６】第２の実施の形態における、金属パイプの拡大断面図である。
【符号の説名】
１  ボールペン
２  チップホルダー
３  軸筒
５  ボール
６  ボールペンチップ
１０  金属パイプ
１３  インキ
１４  フォロア
２１  ボールペン
２２  金属パイプ
２３  鍔部
【図１】
0004549510.tif 000002
【図２】
0004549510.tif 000003
【図３】
0004549510.tif 000004
【図４】
0004549510.tif 000005
【図５】
0004549510.tif 000006
【図６】
0004549510.tif 000007